(57)【特許請求の範囲】
【請求項１】
エンジンの冷却水を熱源として用いて作動媒体を蒸発させる蒸発器と、前記蒸発器から流出した前記作動媒体を膨張させることによって動力を回収する膨張機と、外気を熱源として用い、前記膨張機から流出した前記作動媒体を凝縮させる凝縮器と、を有するランキンサイクル装置と、
外気温を検出する外気温検出部と、
前記蒸発器に供給される前記冷却水の水温を低下させる水温低下手段と、
前記水温低下手段の動作を制御する制御部と、を備え、
前記制御部は、
前記外気温検出部で検出された外気温が所定の判定温度よりも低い場合、前記蒸発器に供給される前記冷却水の水温が低下するように前記水温低下手段を制御する、廃熱回収装置。
【請求項２】
前記膨張機の入口圧力を検出する入口圧力検出部と、
前記膨張機の出口圧力を検出する出口圧力検出部と、を更に備え、
前記制御部は、
前記外気温検出部で検出された外気温が前記判定温度よりも低い場合、前記出口圧力検出部で検出された前記出口圧力に対する前記入口圧力検出部で検出された前記入口圧力の比が所定の設定値よりも小さくなるまで、前記蒸発器に供給される前記冷却水の水温が低下するように、前記水温低下手段を制御する、請求項１記載の廃熱回収装置。
【請求項３】
前記エンジン及び前記蒸発器の間で循環するように前記冷却水を流通させる冷却水流路を更に備え、
前記水温低下手段は、前記冷却水の水温が開弁温度よりも高くなった場合に前記エンジンから前記冷却水流路への前記冷却水の流出を許容するサーモスタットを含み、
前記制御部は、前記外気温検出部によって検出された外気温が前記判定温度よりも低い場合、前記サーモスタットの前記開弁温度を低下させる、請求項１又は２記載の廃熱回収装置。
【請求項４】
前記冷却水流路には、前記冷却水を冷却するラジエータが設けられ、
前記冷却水流路は、前記ラジエータをバイパスするバイパス流路を有し、
前記水温低下手段は、前記バイパス流路を流れる前記冷却水の流量を調整するバイパスバルブを含み、
前記制御部は、前記外気温検出部によって検出された外気温が前記判定温度よりも低い場合、前記バイパス流路を流れる前記冷却水の流量が減少するように前記バイパスバルブを制御する、請求項３記載の廃熱回収装置。
【請求項５】
前記エンジン及び前記蒸発器の間で循環するように前記冷却水を流通させる冷却水流路を更に備え、
前記冷却水流路には、前記冷却水を冷却するラジエータが設けられ、
前記冷却水流路は、前記ラジエータをバイパスするバイパス流路を有し、
前記水温低下手段は、開度を変更することで前記バイパス流路を流れる前記冷却水の流量を調整するバイパスバルブを含み、
前記制御部は、前記外気温検出部によって検出された外気温が前記判定温度よりも低い場合、前記バイパス流路を流れる前記冷却水の流量が減少するように前記バイパスバルブを制御する、請求項１又は２記載の廃熱回収装置。
【発明の詳細な説明】
【技術分野】
【０００１】
本発明は、廃熱回収装置に関し、特にランキンサイクル装置を備える廃熱回収装置に関する。
【背景技術】
【０００２】
ランキンサイクル装置を備える廃熱回収装置として、例えば特許文献１に記載された廃熱回収装置が知られている。特許文献１に記載された廃熱回収装置では、ランキンサイクル装置は、エンジンの冷却水を加熱用の熱源（高温側熱源）として用いて作動媒体を蒸発させる蒸発器と、蒸発器から流出した作動媒体を膨張させることによって動力を回収する膨張機と、外気を冷却用の熱源（低温側熱源）として用い、膨張機から流出した作動媒体を凝縮させる凝縮器と、を備えている。
【先行技術文献】
【特許文献】
【０００３】
【特許文献１】特開２０１４−２３８００７号公報
【発明の概要】
【発明が解決しようとする課題】
【０００４】
上記のような廃熱回収装置においては、蒸発器での作動媒体の温度が高くなるほど、膨張機の入口における作動媒体の圧力（入口圧力）が大きくなる。また、凝縮器での作動媒体の温度が低くなるほど、膨張機の出口における作動媒体の圧力（出口圧力）が小さくなる。したがって、高温側熱源と低温側熱源の間の温度差が大きいほど、膨張機の出口圧力に対する入口圧力の比（膨張比）を大きくすることができ、サイクル効率の向上、及び出力（回収される動力）の増加を図ることができるとも考えられる。しかしながら、例えば極寒の環境下で廃熱回収装置が用いられた場合、外気温が極端に低下し、膨張比が大きくなり過ぎてしまい、膨張機の断熱効率が低下するおそれがある。この場合、膨張比が大きくなったことによるサイクル効率の向上の影響よりも、断熱効率の低下の影響の方が大きくなり、結果として出力が低下してしまうおそれがある。
【０００５】
本発明は、外気温が低下した場合でも出力の低下を抑制することができる廃熱回収装置を提供することを目的とする。
【課題を解決するための手段】
【０００６】
本発明に係る廃熱回収装置は、エンジンの冷却水を熱源として用いて作動媒体を蒸発させる蒸発器と、蒸発器から流出した作動媒体を膨張させることによって動力を回収する膨張機と、外気を熱源として用い、膨張機から流出した作動媒体を凝縮させる凝縮器と、を有するランキンサイクル装置と、外気温を検出する外気温検出部と、蒸発器に供給される冷却水の水温を低下させる水温低下手段と、水温低下手段の動作を制御する制御部と、を備え、制御部は、外気温検出部で検出された外気温が所定の判定温度よりも低い場合、蒸発器に供給される冷却水の水温が低下するように水温低下手段を制御する。
【０００７】
この廃熱回収装置では、外気温が判定温度よりも低下した場合、蒸発器に供給される冷却水の水温が低下する。これにより、膨張機の入口圧力を低下させることができ、その結果、断熱効率の低下の影響が大きくならない適正範囲まで膨張機の膨張比を低下させることが可能となる。したがって、この廃熱回収装置によれば、外気温が低下した場合でも出力の低下を抑制することが可能となる。
【０００８】
また、本発明に係る廃熱回収装置は、膨張機の入口圧力を検出する入口圧力検出部と、膨張機の出口圧力を検出する出口圧力検出部と、を更に備え、制御部は、外気温検出部で検出された外気温が判定温度よりも低い場合、出口圧力検出部で検出された出口圧力に対する入口圧力検出部で検出された入口圧力の比が所定の設定値よりも小さくなるまで、蒸発器に供給される冷却水の水温が低下するように、水温低下手段を制御してもよい。この廃熱回収装置では、外気温が判定温度よりも低下した場合、膨張機の膨張比が設定値よりも小さくなるまで蒸発器に供給される冷却水の水温を低下させ、断熱効率の低下の影響が大きくならない適正範囲まで膨張機の膨張比を確実に低下させることができる。したがって、外気温が低下した場合でも、出力の低下を確実に抑制することが可能となる。
【０００９】
また、本発明に係る廃熱回収装置は、エンジン及び蒸発器の間で循環するように冷却水を流通させる冷却水流路を更に備え、水温低下手段は、冷却水の水温が開弁温度よりも高くなった場合にエンジンから冷却水流路への冷却水の流出を許容するサーモスタットを含み、制御部は、外気温検出部によって検出された外気温が判定温度よりも低い場合、サーモスタットの開弁温度を低下させてもよい。この廃熱回収装置によれば、外気温が判定温度よりも低下した場合、サーモスタットの開弁温度を低下させ、水温がより低い冷却水が冷却水流路を流通するようにすることで、蒸発器に供給される冷却水の水温を低下させることができる。
【００１０】
また、本発明に係る廃熱回収装置では、冷却水流路には、冷却水を冷却するラジエータが設けられ、冷却水流路は、ラジエータをバイパスするバイパス流路を有し、水温低下手段は、バイパス流路を流れる冷却水の流量を調整するバイパスバルブを含み、制御部は、外気温検出部によって検出された外気温が判定温度よりも低い場合、バイパス流路を流れる冷却水の流量が減少するようにバイパスバルブを制御してもよい。この廃熱回収装置によれば、外気温が判定温度よりも低下した場合、バイパス流路を流れる冷却水の流量を減少させ、ラジエータに供給される冷却水の流量を増加させることで、蒸発器に供給される冷却水の水温を低下させることができる。
【００１１】
また、本発明に係る廃熱回収装置は、エンジン及び蒸発器の間で循環するように冷却水を流通させる冷却水流路を更に備え、冷却水流路には、冷却水を冷却するラジエータが設けられ、冷却水流路は、ラジエータをバイパスするバイパス流路を有し、水温低下手段は、バイパス流路を流れる冷却水の流量を調整するバイパスバルブを含み、制御部は、外気温検出部によって検出された外気温が判定温度よりも低い場合、バイパス流路を流れる冷却水の流量が減少するようにバイパスバルブを制御してもよい。この廃熱回収装置によれば、外気温が判定温度よりも低下した場合、バイパス流路を流れる冷却水の流量を減少させ、ラジエータに供給される冷却水の流量を増加させることで、蒸発器に供給される冷却水の水温を低下させることができる。
【発明の効果】
【００１２】
本発明によれば、外気温が低下した場合でも出力の低下を抑制することができるランキンサイクル装置を提供することが可能となる。
【図面の簡単な説明】
【００１３】
【図１】実施形態に係る廃熱回収装置の概略構成図である。
【図２】膨張機における膨張比と断熱効率の関係を表す模式的なグラフである。
【図３】図１の廃熱回収装置における通常モードの処理を示すフローチャートである。
【図４】図１の廃熱回収装置における抑制制御モードの処理を示すフローチャートである。
【図５】図１の廃熱回収装置におけるバイパス制御モードの処理を示すフローチャートである。
【図６】変形例に係る廃熱回収装置の概略構成図である。
【発明を実施するための形態】
【００１４】
以下、本発明に係る実施形態について、図面を参照しつつ詳細に説明する。なお、以下の説明において、同一又は相当要素には同一符号を用い、重複する説明は省略する。
【００１５】
図１は、実施形態に係る廃熱回収装置１の概略構成図である。図１に示されるように、廃熱回収装置１は、エンジン１０を備える車両に搭載される。適用される車両は、例えばトラック及びバス等の商用車であり、大型車両、中型車両、普通乗用車、小型車両、若しくは軽車両等であってもよい。エンジン１０は、車両の駆動用のエンジンであり、例えばディーゼルエンジン又はガソリンエンジン等である。
【００１６】
廃熱回収装置１は、ランキンサイクル装置２０を備えている。ランキンサイクル装置２０は、作動媒体流路３０上に、作動媒体ポンプ２２、蒸発器２４、膨張機２６、及び凝縮器２８を有している。作動媒体流路３０は、作動媒体ポンプ２２、蒸発器２４、膨張機２６、及び凝縮器２８の間で循環するように作動媒体Ｍを流通させる。作動媒体Ｍとしては、種々のものが用いられてよく、この例では、低沸点媒体である代替フロンが用いられている。
【００１７】
作動媒体ポンプ２２は、作動媒体Ｍを圧縮して送出（圧送）し、作動媒体流路３０内において循環させる。蒸発器２４は、作動媒体流路３０において作動媒体ポンプ２２の下流側に設けられている。蒸発器２４は、エンジン１０の冷却水Ｃを加熱用の熱源として用いる熱交換器であり、冷却水Ｃとの熱交換によって作動媒体Ｍを加熱して蒸発させる。冷却水Ｃは、後述する冷却水流路４０を介して蒸発器２４に供給される。
【００１８】
膨張機２６は、作動媒体流路３０において蒸発器２４の下流側に設けられている。膨張機２６は、蒸発器２４から流出した作動媒体Ｍを膨張させることによって動力を回収する。ここでの膨張機２６は、タービンであり、蒸発器２４で蒸発した作動媒体Ｍを膨張させつつ回転し、運動エネルギを動力として回収する。回収された運動エネルギは、機械出力として出力されてもよく、又は発電機によって変換されて電気出力として出力されてもよい。
【００１９】
作動媒体流路３０における膨張機２６の上流側で且つ蒸発器２４の下流側には、膨張機２６の入口における作動媒体Ｍの圧力（入口圧力）を検出する入口圧力検出部３２が設けられている。また、作動媒体流路３０における膨張機２６の下流側で且つ凝縮器２８の上流側には、膨張機２６の出口における作動媒体Ｍの圧力（出口圧力）を検出する出口圧力検出部３４が設けられている。入口圧力検出部３２及び出口圧力検出部３４は、例えば、液体及び気体の圧力を計測することができる圧力センサによって構成されている。
【００２０】
凝縮器２８は、作動媒体流路３０において膨張機２６の下流側に設けられている。凝縮器２８は、外気Ａを冷却用の熱源として用い、膨張機２６から流出した気相の作動媒体Ｍを冷却して凝縮させる。この例では、凝縮器２８は、冷媒Ｒとの熱交換によって作動媒体Ｍを冷却する。冷媒Ｒは、外気Ａを用いて冷却され、後述する冷媒流路５０を介して凝縮器２８に供給される。外気Ａとしては、例えば車両が走行する際の走行風が利用される。
【００２１】
廃熱回収装置１は、エンジン１０及び蒸発器２４の間で循環するように冷却水Ｃを流通させる冷却水流路４０を更に備えている。冷却水流路４０におけるエンジン１０の下流側（出口）には、サーモスタット４２が設けられている。サーモスタット４２は、例えば電子制御式サーモスタットである。サーモスタット４２は、エンジン１０の出口における冷却水Ｃの水温を検出し、検出した冷却水Ｃの水温が開弁温度よりも高くなった場合に開弁して、エンジン１０から冷却水流路４０への冷却水Ｃの流出を許容する。一方、サーモスタット４２は、検出した冷却水Ｃの水温が開弁温度以下の場合に閉弁して、エンジン１０から冷却水流路４０への冷却水Ｃの流出を遮断（阻止）する。
【００２２】
サーモスタット４２の開弁温度は、後述する制御部７０によって設定される。この開弁温度は、通常時（後述する通常モード）においては、ランキンサイクル装置２０のサイクル効率を最大限高く保つために、エンジン１０の信頼性が確保される範囲内で冷却水Ｃの水温が最大限高く保たれるように、設定される。通常時の開弁温度は、例えば８０℃に設定される。
【００２３】
本実施形態の廃熱回収装置１では、後述するように、抑制制御モードにおいて、サーモスタット４２の開弁温度が上記通常時の開弁温度よりも低い値に変更される。開弁温度が低下した場合、水温がより低い冷却水Ｃが冷却水流路４０を流通する。これにより、冷却水流路４０を流れる冷却水Ｃの水温が低下し、ひいては蒸発器２４に供給される冷却水Ｃの水温が低下することとなる。すなわち、サーモスタット４２は、蒸発器２４に供給される冷却水Ｃの水温を低下させる水温低下手段を構成している。
【００２４】
また、冷却水流路４０における蒸発器２４の下流側には、ラジエータ４４が設けられている。ラジエータ４４は、例えば車両が走行する際の走行風（外気）によって冷却水Ｃを冷却する。この冷却水流路４０は、ラジエータ４４をバイパスするバイパス流路４６を有している。バイパス流路４６には、バイパス流路４６を流れる冷却水Ｃの流量を調整するバイパスバルブ４８が設けられている。バイパスバルブ４８は、例えば電磁弁又は電動弁等であり、後述する制御部７０から入力される制御信号に従って開度を変更することで、バイパス流路４６を流れる冷却水Ｃの流量を調整する。なお、本明細書において、「流量」とは、体積流量であってもよいし、質量流量であってもよい。
【００２５】
バイパスバルブ４８の開度が減少するほど、バイパス流路４６を流れる冷却水Ｃの流量が減少し、ラジエータ４４に流入する冷却水Ｃの流量が増加する。したがって、バイパスバルブ４８の開度が減少した場合、冷却水流路４０を流れる冷却水Ｃの水温が低下し、ひいては蒸発器２４に供給される冷却水Ｃの水温が低下する。すなわち、バイパスバルブ４８は、蒸発器２４に供給される冷却水Ｃの水温を低下させる水温低下手段を構成している。なお、バイパスバルブ４８の開度は、通常時においては、ランキンサイクル装置２０のサイクル効率を最大限高く保つために、エンジン１０の信頼性が確保される範囲内で冷却水Ｃの水温が最大限高く保たれるように、制御される。
【００２６】
本実施形態では、廃熱回収装置１は、冷媒流路５０上に、サブラジエータ（熱交換器）５２及び冷媒ポンプ５４を更に備えている。冷媒流路５０は、凝縮器２８、サブラジエータ５２、及び冷媒ポンプ５４の間で循環するように冷媒Ｒを流通させる。サブラジエータ５２は、外気Ａとの熱交換によって冷媒Ｒを冷却する。冷媒ポンプ５４は、冷媒Ｒを圧送して冷媒流路５０内にて循環させる。
【００２７】
廃熱回収装置１は、外気Ａの温度（外気温）を検出する外気温検出部６０を更に備えている。外気温検出部６０は、例えば、外気温を計測可能な温度センサによって構成されている。外気温検出部６０は、外気温を検出可能な位置に設けられていればよく、例えばサブラジエータ５２の吸気口の近傍等に設けられている。
【００２８】
廃熱回収装置１は、少なくとも入口圧力検出部３２、出口圧力検出部３４、サーモスタット４２、バイパスバルブ４８、及び外気温検出部６０に対して電気的に接続された制御部７０を更に備えている。制御部７０は、後述する図３〜図５のフローチャートに示される処理を実行する。制御部７０は、例えば、ＣＰＵ（Central Processing Unit）、ＲＯＭ（Read Only Memory）、及びＲＡＭ（Random Access Memory）等を含むコンピュータにより構成されている。制御部７０は、上記以外の要素に対して更に電気的に接続されていてもよい。
【００２９】
次に、外気温の低下が廃熱回収装置１に与え得る影響について説明する。図２は、膨張機２６における出口圧力に対する入口圧力の比（膨張比）と断熱効率の関係を表す模式的なグラフである。廃熱回収装置１においては、蒸発器２４での作動媒体Ｍの温度が高くなるほど、膨張機２６の入口圧力が大きくなる。また、凝縮器２８での作動媒体Ｍの温度が低くなるほど、膨張機２６の出口圧力が小さくなる。したがって、外気温が低下し、冷却水Ｃ（高温側熱源）と外気Ａ（低温側熱源）の間の温度差が大きくなるほど、膨張機２６の膨張比を大きくすることができ、サイクル効率の向上、及び出力（回収される動力）の増加を図ることができるとも考えられる。
【００３０】
しかしながら、一般的に、真夏から寒冷地の真冬のような極寒の環境下までの外気温範囲（例えば、−２０℃〜３０℃）すべてに対応する膨張比の範囲にて、断熱効率が高くなるように膨張機２６を設計することは難しい。このため、図２に示されるように、膨張機２６には、断熱効率を比較的高く保つことができる膨張比の範囲（適正範囲）Ｐが存在する。すなわち、高温側熱源と低温側熱源との温度差が小さく、膨張比が適正範囲Ｐを超えて小さくなった場合、不足膨張により断熱効率が低下する。一方、高温側熱源と低温側熱源との温度差が大きく、膨張比が適正範囲Ｐを超えて大きくなった場合、過膨張により断熱効率が低下する。
【００３１】
したがって、一般的な廃熱回収装置を極寒の環境下で用いる場合、外気温が極端に低下し、膨張機２６の膨張比が適正範囲Ｐを超えて大きくなることで、膨張機２６の断熱効率が低下するおそれがある。この場合、膨張比が大きくなったことによるサイクル効率の向上の影響よりも、断熱効率の低下の影響の方が大きくなり、結果として出力が低下してしまうおそれがある。
【００３２】
これに対し、本実施形態の廃熱回収装置１は、以下に説明する処理を行うことで、外気温が低下した場合でも、高断熱効率を保てる適正な適正範囲Ｐまで膨張機２６の膨張比を低下させることができるように構成されている。以下では、廃熱回収装置１による処理を説明する。図３〜図５は、廃熱回収装置１による各処理を示すフローチャートである。これらの処理は、制御部７０によって行われる。初期状態においては、制御モードは通常モードとなっている。
【００３３】
図３に示されるように、まず、エンジン１０の回転数が所定の閾値よりも大きいか否かを判定する（Ｓ１１）。この閾値は、例えば５００ｍｉｎ−１に設定されている。エンジン１０の回転数が当該閾値よりも大きい場合（Ｓ１１でＹＥＳ）にはステップＳ１２に進み、エンジン１０の回転数が当該閾値以下である場合（Ｓ１１でＮＯ）にはステップＳ１４に進む。
【００３４】
ステップＳ１２では、外気温検出部６０によって検出された外気温が所定の判定温度よりも低いか否かを判定する。外気温が判定温度よりも低い場合（Ｓ１２でＹＥＳ）にはステップＳ１３に進み、外気温が判定温度以上である場合（Ｓ１１でＮＯ）にはステップＳ１４に進む。ステップＳ１３では、制御モードを抑制制御モードに切り替え、通常モードを終了する。抑制制御モードでは、後述するように、冷却水Ｃの水温を低下させるための処理が行われる。
【００３５】
ステップＳ１２における上記判定温度は、冷却水Ｃの水温を低下させるための処理を開始するか否かを適切に判定するために、予め設定された値である。判定温度は、実験、過去の実績及び経験、並びにシミュレーション等に基づいて定められてよく、例えば−５℃に設定されている。なお、判定温度は、固定の値であってもよいし、変動する値であってもよい。
【００３６】
ステップＳ１４では、サーモスタット４２の開弁温度を通常時の値に設定すると共に、バイパスバルブ４８の開度を通常時の開度に設定する。その後、ステップＳ１１に戻り、通常モードの各処理を再度実行する。
【００３７】
図４に示されるように、抑制制御モードでは、まず、入口圧力検出部３２で検出された入口圧力、及び出口圧力検出部３４で検出された出口圧力から膨張機２６の膨張比を算出する（Ｓ２１）。次いで、算出した膨張比が所定の設定値よりも大きいか否かを判定する（Ｓ２２）。膨張比が当該設定値以下である場合（Ｓ２２でＮＯ）には、制御モードを通常モードに切り替え（Ｓ２３）、抑制制御モードを終了する。一方、膨張比が当該設定値よりも大きい場合（Ｓ２２でＹＥＳ）には、ステップＳ２４に進む。
【００３８】
ステップＳ２２における上記設定値は、適正範囲Ｐまで膨張比が低下したか否かを適切に判定するために、予め設定された値である。この設定値は、実験、過去の実績及び経験、並びにシミュレーション等に基づいて定められてよく、例えば１０に設定されている。なお、この設定値は、固定の値であってもよいし、変動する値であってもよい。
【００３９】
ステップＳ２４では、サーモスタット４２の開弁温度が所定の下限温度よりも大きいか否かを判定する。サーモスタット４２の開弁温度が下限温度よりも大きい場合（Ｓ２４でＹＥＳ）にはステップＳ２５に進む。一方、開弁温度が下限温度以下である場合（Ｓ２４でＮＯ）には、開弁温度をこれ以上低下させることができないと判断し、ステップＳ２６に進む。ステップＳ２４における上記下限温度は、抑制制御モードを終了してバイパス制御モードを開始するか否かを適切に判定するための値であり、例えば７０℃に設定されている。
【００４０】
ステップＳ２５では、サーモスタット４２の開弁温度を低下させる。例えば、サーモスタット４２の開弁温度を所定値（例えば、５℃）だけ低下させる。これにより、冷却水流路４０を流れる冷却水Ｃの水温が低下し、ひいては蒸発器２４に供給される冷却水Ｃの水温が低下することとなる。その後、ステップＳ２１に戻り、抑制制御モードの各処理を再度実行する。ステップＳ２６では、制御モードをバイパス制御モードに切り替え、抑制制御モードを終了する。
【００４１】
図５に示されるように、バイパス制御モードでは、まず、ステップＳ２１，Ｓ２２と同様に、膨張比を算出し（Ｓ３１）、算出した膨張比が所定の設定値よりも大きいか否かを判定する（Ｓ３２）。膨張比が当該設定値以下である場合（Ｓ３２でＮＯ）には、制御モードを通常モードに切り替え（Ｓ３６）、バイパス制御モードを終了する。一方、膨張比が当該設定値よりも大きい場合（Ｓ３２でＹＥＳ）には、ステップＳ３３に進む。ステップＳ３２の設定値としては、例えば上記ステップＳ２２の設定値と同一の値が用いられる。
【００４２】
ステップＳ３３では、バイパスバルブ４８の開度が所定の最小開度よりも大きいか否かを判定する。開度が最小開度よりも大きい場合（Ｓ３３でＹＥＳ）には、ステップＳ３４に進む。一方、開度が最小開度以下である場合（Ｓ３３でＮＯ）には、バイパスバルブ４８の開度をこれ以上減少させることができないと判断し、ステップＳ３５に進む。この最小開度は、後述する廃熱回収抑制処理を実行してバイパス制御モードを終了するか否かを適切に判定するための値であり、例えば５０％に設定されている。
【００４３】
ステップＳ３４では、バイパスバルブ４８の開度を変更することによって、バイパス流路４６を流れる冷却水Ｃの流量が減少するようにバイパスバルブ４８を制御する。例えば、バイパスバルブ４８の開度を所定値（例えば、５％）だけ減少させる。これにより、冷却水流路４０を流れる冷却水Ｃの水温が低下し、ひいては蒸発器２４に供給される冷却水Ｃの水温が低下することとなる。その後、ステップＳ３１に戻り、バイパス制御モードの各処理を再度実行する。
【００４４】
ステップＳ３５では、廃熱回収抑制処理を実行する。例えば、作動媒体ポンプ２２の作動を停止させる、又は作動媒体ポンプ２２の吐出量を減少させる。これにより、廃熱回収装置１による廃熱回収が抑制される。廃熱回収抑制処理の実行後、制御モードを通常モードに切り替え（Ｓ３６）、バイパス制御モードを終了する。
【００４５】
以上、廃熱回収装置１では、外気温が判定温度よりも低下した場合、蒸発器２４に供給される冷却水Ｃの水温が低下する。これにより、膨張機２６の入口圧力を低下させることができ、その結果、断熱効率の低下の影響が大きくならない適正範囲Ｐまで膨張機２６の膨張比を低下させることが可能となる。したがって、廃熱回収装置１によれば、外気温が低下した場合でも出力の低下を抑制することが可能となる。
【００４６】
また、廃熱回収装置１では、外気温が判定温度よりも低下した場合、膨張機２６の膨張比が設定値よりも小さくなるまで蒸発器２４に供給される冷却水Ｃの水温を低下させ、断熱効率の低下の影響が大きくならない適正範囲Ｐまで膨張機２６の膨張比を確実に低下させることができる。したがって、廃熱回収装置１によれば、外気温が低下した場合でも、出力の低下を確実に抑制することが可能となる。
【００４７】
また、廃熱回収装置１によれば、外気温が判定温度よりも低下した場合、サーモスタット４２の開弁温度を低下させ、水温がより低い冷却水Ｃが冷却水流路４０を流通するようにすることで、蒸発器２４に供給される冷却水Ｃの水温を低下させることができる。
【００４８】
また、廃熱回収装置１によれば、外気温が判定温度よりも低下した場合、バイパス流路４６を流れる冷却水Ｃの流量を減少させ、ラジエータ４４に供給される冷却水Ｃの流量を増加させることで、蒸発器２４に供給される冷却水Ｃの水温を低下させることができる。
【００４９】
以上、本発明の好適な実施形態について説明したが、本発明は、上記実施形態に限られるものではなく、各請求項に記載した要旨を変更しない範囲で変形し、又は他のものに適用してもよい。
【００５０】
図６は、変形例に係る廃熱回収装置の概略構成図である。例えば、図６に示されるように、本発明は、廃熱回収装置１Ａのように構成されていてもよい。変形例の廃熱回収装置１Ａは、冷却水流路４０におけるラジエータ４４の上流側の流路とバイパス流路４６との分流位置にバイパスバルブ４８Ａが設けられている点で上記実施形態の廃熱回収装置１と相違する。バイパスバルブ４８Ａは、例えば三方弁であり、ラジエータ４４の上流側の流路とバイパス流路４６との間で冷却水Ｃが流れる流路を切り替えることにより、バイパス流路４６を流れる冷却水Ｃの流量を調整する。つまり、廃熱回収装置１Ａにおいては、上記ステップＳ３４に相当する処理では、制御部７０は、バイパスバルブ４８により冷却水Ｃが流れる流路を切り替えることによって、バイパス流路４６を流れる冷却水Ｃの流量が減少するようにバイパスバルブ４８を制御する。
【００５１】
廃熱回収装置１Ａによっても、上記実施形態と同様に、外気温が低下した場合でも出力の低下を抑制することが可能となる。また、冷却水流路４０を流れる冷却水Ｃの全量をバイパス流路４６へ流入させることで、ラジエータ４４により冷却水Ｃが冷却されることを回避し、冷却水流路４０を流れる冷却水Ｃの水温が低下することを抑制することができる。その結果、高温側熱源である冷却水Ｃの水温を高く保つことができ、蒸発器２４に流入した作動媒体Ｍを一層好適に加熱して蒸発させることも可能となる。
【００５２】
上記実施形態では、水量低下手段としてサーモスタット４２及びバイパスバルブ４８の両方を用いたが、いずれか一方のみを用いてもよい。水量低下手段としてサーモスタット４２のみを用いる場合、ラジエータ４４、バイパス流路４６、又はバイパスバルブ４８は省略されてもよい。
【００５３】
上記実施形態では、サーモスタット４２の開弁温度を低下させる抑制制御モード（図４参照）を先に実行し、膨張比が設定値よりも未だ大きい場合にバイパスバルブ４８の開度を変更するバイパス制御モード（図５参照）を更に実行したが、これとは逆に、バイパス制御モードを先に実行してもよいし、あるいは、抑制制御モード及びバイパス制御モードを同時に実行してもよい。
【００５４】
上記実施形態では、外気温が判定温度よりも低下した場合、膨張機２６の膨張比が設定値よりも小さくなるまで蒸発器２４に供給される冷却水Ｃの水温が低下するように、水量低下手段を制御したが、これに限定されない。膨張比が実際に適正範囲Ｐまで低下したか否を判定することなく、水量低下手段を制御してもよい。要は、外気温検出部６０で検出された外気温が判定温度よりも低い場合に、蒸発器２４に供給される冷却水Ｃの水温が低下すればよい。
【００５５】
上記実施形態では、凝縮器２８において外気Ａと冷媒Ｒとの熱交換によって作動媒体Ｍを冷却したが、凝縮器２８としては、外気Ａを冷却用の熱源として用いるものであればよく、例えば外気Ａを用いて作動媒体Ｍを直接冷却する空冷式のものであってもよい。また、上記抑制制御モードを実施しても冷却水Ｃの水温が適正範囲Ｐまで低下しない場合、エンジン１０の出力を制限する制御を実施してもよい。
【００５６】
上記実施形態では、冷却水Ｃの水温が開弁温度よりも高くなった場合、サーモスタット４２の開度を０％（閉弁）から１００％（開弁）に変更し、エンジン１０から冷却水流路４０への冷却水Ｃの流出を許容したが、サーモスタット４２の開度を連続的に又は段階的に変更してもよい。例えば、冷却水Ｃの水温と開弁温度との間の差分が大きくなるほどサーモスタット４２の開度が大きくなるように、サーモスタット４２の開度を連続的に又は段階的に（例えば、３つ以上の設定値の間で）変更してもよい。
【符号の説明】
【００５７】
１…廃熱回収装置、１０…エンジン、２０…ランキンサイクル装置、２４…蒸発器、２６…膨張機、２８…凝縮器、３２…入口圧力検出部、３４…出口圧力検出部、４０…冷却水流路、４２…サーモスタット、４４…ラジエータ、４６…バイパス流路、４８…バイパスバルブ、６０…外気温検出部、７０…制御部、Ａ…外気、Ｃ…冷却水、Ｍ…作動媒体。
【図１】
0006526537.tif 000002
【図２】
0006526537.tif 000003
【図３】
0006526537.tif 000004
【図４】
0006526537.tif 000005
【図５】
0006526537.tif 000006
【図６】
0006526537.tif 000007